(57)【要約】【課題】視覚的な色彩変化の多様性を備え、自由な選色が可能で、多様な模様を表現可能な繊維構造体を提供する。【解決手段】繊維構造体１は、基部２と、基部２上に相互に略平行に形成された複数の凸条部６とを有する。各凸条部６は、それぞれ頂部３及び頂部３の下方に位置する２つの側壁部４，５から構成されるとともに、その一方の各側壁部４は互いに略平行に設けられ、且つ他方の各側壁部５も互いに略平行に設けられる。そして、一方の側壁部４は糸Ａから構成され、他方の側壁部５は糸Ａとは組成の異なる糸Ｂから構成される。糸Ａと糸Ｂとは、組成上の相違から染色性が異なっており、互いに異なる色に染め分けできるため、自由な選色，配色が可能であり、そのカラーバリエーションを増やすことができる。また、看者の見る方向等によって色模様が変化するという色彩効果が発揮される。【選択図】図１
2018104841.tif 000002
【特許請求の範囲】
【請求項１】
基部と、該基部上に相互に略平行に形成された複数の凸条部とを有する繊維構造体であって、
前記各凸条部は、それぞれ頂部及び該頂部の下方に位置する２つの側壁部から構成されるとともに、その一方の各側壁部は互いに略平行に設けられ、且つ他方の各側壁部も互いに略平行に設けられ、
更に、前記一方の側壁部は糸Ａから構成されるとともに、前記他方の側壁部は、前記糸Ａとは組成の異なる糸Ｂから構成されていることを特徴とする繊維構造体。
【請求項２】
前記糸Ａ及び糸Ｂの内の少なくとも一方は、単色又は２色以上に染色されていることを特徴とする請求項１記載の繊維構造体。
【請求項３】
前記糸Ａ及び糸Ｂは、互いに異なる色又は異なる模様に染色されていることを特徴とする請求項１記載の繊維構造体。
【請求項４】
前記基部及び凸条部は編地から構成され、
前記凸条部の頂部は、編み立て方向に沿って延びた編み列からなり、
前記凸条部の２つの側壁部は、それぞれ、編み立て方向に沿って延び、前記基部側が該基部に編み込まれるとともに、前記頂部側が該頂部に係止されて、該基部と頂部とを連結するように編成された編み列からなることを特徴とする請求項１乃至３記載のいずれかの繊維構造体。
【請求項５】
前記頂部は、連結糸によって連結された少なくとも２列の鎖編み列からなり、
前記２つの側壁部は、それぞれ鎖編み列からなり、
前記側壁部の鎖編み列は、頂部側に形成されたループが前記頂部の鎖編み列中に挿入状態で係止されていることを特徴とする請求項４記載の繊維構造体。
【請求項６】
前記各凸条部における頂部の一部と、該凸条部に隣接する他の凸条部における頂部の一部との間に前記連結糸が架け渡されて、メッシュ部が形成されていることを特徴とする請求項４又は５記載の繊維構造体。
【請求項７】
前記各凸条部における頂部の一部と、該凸条部に隣接する他の凸条部における頂部の一部との間を連結するように編成された、少なくとも１つの切れ目を有する編み領域が形成されていることを特徴とする請求項４又は５記載の繊維構造体。
【請求項８】
前記基部における、前記各凸条部と該凸条部に隣接する他の凸条部との間に、少なくとも１列の編み列が形成されていることを特徴とする請求項４乃至７記載のいずれかの繊維構造体。
【請求項９】
前記基部は、メッシュ状に形成されていることを特徴とする請求項４乃至８記載のいずれかの繊維構造体。
【請求項１０】
前記基部は、透明糸からなることを特徴とする請求項４乃至９記載のいずれかの繊維構造体。
【発明の詳細な説明】
【技術分野】
【０００１】
本発明は、基部、及びこの基部上に相互に略平行に形成された複数の凸条部を有する繊維構造体に関し、特に、観察者の見る方向に応じて、視認される色彩が変化する繊維構造体に関する。
【背景技術】
【０００２】
近年、よりファッション性の高い衣服や鞄、靴などを求める需要者が増加しており、このような需要者の要望に応えるべく、衣服等に優れた美観や躍動感を持たせるための繊維構造体、とりわけ編地の開発が盛んに行われている。一般的に、このような編地は、色や素材が異なる複数の糸を使用する、組織を組み合わせる、或いは、メッシュデザイン等を利用するといった手法を用いて色彩効果が付与されており、当該編地が用いられた衣服等は、編地に付与された色彩効果によって、優れた美観や躍動感を発揮する。
【０００３】
従来、このような色彩効果を付与した編地として、例えば、下記特許文献１（特開２００３−４１４６５号公報）に開示される、いわゆる玉虫調と称される色彩効果を付与した編地や、特許文献２（特開２０１３−１２４４１９号公報）に開示される、表面に凹凸模様の装飾を施すことによって色彩効果を付与した編地が知られている。
【０００４】
上記特許文献１に開示された編地は、左右対称に編み込まれた２本のナイロン糸からなる編み組織に、２本のレーヨン糸が左右対称に挿入されて連続的にウェール方向に編み込まれるように編地を編成した後、ナイロン糸とレーヨン糸とを異なる色の染料によって染め分けたものである。この編地は、ナイロン糸とレーヨン糸とが染め分けられていることにより、編地全体が玉虫色の光彩を有したものとなっている。
【０００５】
また、上記特許文献２に開示された編地は、上地と下地とからなる複合生地であって、上地と下地とが結合された一重組織部と、上地と下地とが分離して二重になった袋組織部とが、それぞれ編み立て方向に沿って延び、且つこれらが編み立て方向と交差する方向において交互に配置されている。そして、袋組織部の下地の編糸には熱収縮性繊維糸が用いられており、製造時に熱処理が施されて当該熱収縮性繊維糸が収縮することによって、袋組織部の上地が隆起した凸条が形成され、表面に凹凸模様が形成される。斯くして、この編地によれば、編み立て方向に延びた凸条の２つの側面となる上地の各部分に異なる色の編糸を用いることで、上記２つの側面のうちの一方面側から見た場合と他方面側から見た場合とで異なる色が観察者に視認されるという、色彩効果が発揮される。
【０００６】
このように、上記いずれの従来技術においても、編地に色彩効果が付与されているため、かかる編地を使用した衣服等は、着用者の動きによって観察者の相対的な位置が変化してその見え方が変わるため、通常とは異なる美観や躍動感を発揮し、色彩効果が付与されていない編地を使用したものとは異なった印象を与える。
【先行技術文献】
【特許文献】
【０００７】
【特許文献１】特開２００３−４１４６５号公報
【特許文献２】特開２０１３−１２４４１９号公報
【発明の概要】
【発明が解決しようとする課題】
【０００８】
ところが、上記特許文献１に開示される編地の場合、生地全体が玉虫色となる態様に限られ、また、その色彩的な効果は単調なものに過ぎないため、デザイン上の審美的な観点からすると、視覚的な色彩変化の多様性に欠けるという欠点がある。
【０００９】
また、特許文献２に開示される織編地の場合、異なる色の先染め糸を用いるものであるため、選色に際して制限を受けるという欠点がある。更に、この織編地に模様を付与するには、異なる色の糸に切り替えるという煩雑な作業が必要であるため、簡単な模様の場合には対応可能かもしれないが、複雑な模様や多色を要する模様を表現する場合、或いは、カラーバリエーションの多い少量の商品を展開する場合には、その対応は極めて非効率であり、これを実現するのは甚だ困難である。このように、特許文献２に開示される織編地においても、視覚的な色彩変化の多様性を実現することは著しく困難である。
【００１０】
本発明は以上の実情に鑑みなされたものであり、視覚的な色彩変化の多様性を備えるとともに、自由な選色が可能で、多様な模様を表現することができる繊維構造体の提供を、その目的とする。
【課題を解決するための手段】
【００１１】
上記課題を解決するための本発明は、基部と、該基部上に相互に略平行に形成された複数の凸条部とを有する繊維構造体であって、
前記各凸条部は、それぞれ頂部及び該頂部の下方に位置する２つの側壁部から構成されるとともに、その一方の各側壁部は互いに略平行に設けられ、且つ他方の各側壁部も互いに略平行に設けられ、
更に、前記一方の側壁部は糸Ａから構成されるとともに、前記他方の側壁部は、前記糸Ａとは組成の異なる糸Ｂから構成された繊維構造体に係る。
【００１２】
この繊維構造体では、後染めによって前記側壁部を染色する態様が好ましく採用される。上述のように、本発明に係る繊維構造体では、一方の側壁部を構成する糸Ａと、他方の側壁部を構成する糸Ｂとは異なる組成を有している。したがって、糸Ａと糸Ｂとは、その組成上の相違から染色性が異なっており、このため、糸Ａと糸Ｂとは、互いに異なる色となるように染め分けることができる。染め分ける態様は、糸Ａのみ染色する場合、糸Ｂのみ染色する場合、糸Ａと糸Ｂとを異なる色、模様に染色する場合が含まれる。
【００１３】
本発明に係る繊維構造体に適用される繊維は、何ら制限を受けるものではなく、当該繊維構造体には、各種の植物性及び動物性の天然繊維（例えば、綿、絹、羊毛など）や、各種の化学繊維（例えば、レーヨン、アセテート、ナイロン、ビニロン、アクリル、ポリエステル、カチオン可染ポリエステル）を適用することができる。また、これらを用いた糸としては、繊維に応じて採用される紡績糸やフィラメント糸を用いることができるが、糸としての形態に何ら制限はない。これら天然繊維や化学繊維は、それぞれ、構成する化学構造が異なるため、後述するように種々の染料に対して染まり方が異なる。したがって糸Ａに対し、糸Ａとは化学構造が異なる素材からなる糸Ｂを用いる態様は、糸Ａ、Ｂの化学構造が異なることで染まり方が異なり得るため、好ましい態様の1つである。これらをそれぞれ糸Ａ及び／又は糸Ｂの一部として用い、糸全体として後述するような態様で組成を変えて、染まり方を異ならせる態様であってもよい。
【００１４】
但し、本発明においては、前記糸Ａ及び糸Ｂは、その組成が異なることによって、異なる染色性を発現するものであることが肝要である。組成が異なる態様としては、
ａ）糸Ａ及び糸Ｂの一方が、単一の繊維から構成される糸、複数の繊維を混合した混合繊維から構成される糸、又は長手方向に異なる繊維を所定間隔で繋ぎ合わせた糸のいずれかの糸で、他方がこれとは異なる糸である態様、
ｂ）糸Ａ及び糸Ｂがそれぞれ単一の繊維から構成され、その繊維の種類が異なる態様、
ｃ）糸Ａ及び糸Ｂがそれぞれ混合繊維から構成され、糸Ａと糸Ｂとでは混合される繊維の種類が同一ではない態様、
ｄ）糸Ａ及び糸Ｂがそれぞれ同一の複数繊維を混合した混合繊維から構成され、糸Ａと糸Ｂとで混合される繊維の混合比率が異なる態様、
ｅ）糸Ａ及び糸Ｂがそれぞれ長手方向に異なる繊維を所定間隔で繋ぎ合わせた糸からなり、糸Ａと糸Ｂとでは用いられる繊維の種類が同一ではない態様、
ｆ）糸Ａ及び糸Ｂがそれぞれ長手方向に異なる繊維を所定間隔で繋ぎ合わせた糸からなり、糸Ａと糸Ｂとで用いられる繊維の種類は同一であるが、その繋ぎ合わせる間隔が異なる態様などを例示することができるが、これに限られるものではない。
【００１５】
また、前記基部及び頂部を構成する糸についても何ら制限は無く、それぞれ糸Ａ及び糸Ｂとは異なる組成の糸を用いても良いし、それぞれ糸Ａ又は糸Ｂの一方と同じ糸を用いても良い。
【００１６】
そして、本発明に係る繊維構造体では、上述したように、後染めにより、糸Ａ及び糸Ｂの内の少なくとも一方を染色して、糸Ａと糸Ｂとを異なる色にすることで、対をなす前記２つの側壁部をそれぞれ異なる色又は色模様とすることができる。尚、糸Ａ及び糸Ｂの内の少なくとも一方が後染め可能であればよく、他の糸は、先染め糸であっても良い。
【００１７】
斯くして、本発明に係る繊維構造体によれば、凸条部を構成する２つの側壁部を異なる色（色模様を含む）で表現することができるので、観察者の見る方向によって、視認される色模様が変化するという色彩効果が発揮される。例えば、当該繊維構造体を適宜平面上に載置した状態にして、凸条部の条線と直交し、且つ一方の側壁部が視認可能な斜め上方から当該繊維構造体を見た場合、当該凸条部の頂部及び一方の側壁部は視認されるものの、他方の側壁部は視認されず、これとは逆の斜め上方から当該繊維構造体を見た場合、凸条部の頂部及び他方の側壁部は視認されるものの、前記一方の側壁部は視認できない状態にある。また、観察者が見る角度によって、頂部と側壁部との見える面積の比率が変化した状態になる。
【００１８】
このように、本発明に係る繊維構造体では、観察者の見る方向及び角度によって、視認される色模様が変化するという色彩効果が発揮される。そして、この色模様の変化は、見る角度を繊維構造体に近い角度から徐々に上方側に移すことで、頂部の色の中から次第に異なる色（側壁部の色）が浮き上がるような、独特な視覚効果を伴ったものとして発現される。したがって、これを衣服等に使用した場合には、当該衣服等に非常に優れた美観や躍動感を与えることができる。
【００１９】
また、この繊維構造体は、後染めによる染め分けが可能であることから、原着糸や先染め糸を使用した場合には得られない自由な選色，配色が可能で、このように様々な配色を選択することによって、そのカラーバリエーションを増やすことができ、また、複雑な模様も容易に付与することができるとともに、得られる色彩効果に多様性を持たせることができるという、極めて高い実用性を備えている。
【００２０】
そして、本発明に係る繊維構造体では、前記糸Ａ及び糸Ｂの内の少なくとも一方が、単色に染色されていれば良いが、２色以上に染色されているのがより好ましい。２色以上に染色することで、より多様な色彩的効果が発現される。尚、２色以上に染色する態様としては、ａ）糸Ａ及び／又は糸Ｂに染色性の異なる繊維を混合した混合繊維を用い、各繊維を異なる色に染色する態様、ｂ）糸Ａ及び／又は糸Ｂに単一の繊維又は混合繊維を用い、スクリーン捺染やインクジェット捺染によって、２色以上に染色する態様、ｃ）糸Ａ及び／又は糸Ｂとして、長手方向に異なる繊維を所定間隔で繋ぎ合わせた糸を用い、各繊維を異なる色に染色する態様が含まれる。また、本発明において、前記糸Ａ及び糸Ｂは、互いに異なる色又は異なる模様に染色されていても良い。このようにすることによっても、多様な色彩的効果が発現される。尚、スクリーン捺染及びインクジェット捺染などのプリントは、繊維構造体の裏面（即ち、凸条部とは反対側の面）側から行うのが好ましい。このようにすれば、頂部への染料付着を抑制し、側壁部を構成する糸Ａ及び／又は糸Ｂをターゲットとした染色を行うことが可能であるため、頂部を構成する糸については汚染を考慮する必要が無く、用途に応じて自由な糸種を選定することができる。
【００２１】
本発明に係る繊維構造体は、これを編地とすることができ、この場合、
前記凸条部の頂部は、編み立て方向に沿って延びた編み列から構成され、
前記凸条部の２つの側壁部は、それぞれ、編み立て方向に沿って延び、前記基部側が該基部に編み込まれるとともに、前記頂部側が該頂部に係止されて、該基部と頂部とを連結するように編成された編み列から構成されるのが好ましい。
【００２２】
この繊維構造体によれば、側壁部が基部に編み込まれ、且つ頂部に係止された構成を備えているので、編地でありながら、前記凸条部の形態的安定性が高く、外力が作用してもその形状が変形し難いものとなっている。このため、染色工程において外力が作用しても、凸条部の形状を維持することができ、目的とする十分な色彩効果が発現される繊維構造体を得ることができる。また、その使用態様によって色彩効果が影響を受けるということはなく、如何なる使用態様においても、十分な前記色彩効果が発現される。
【００２３】
尚、この繊維構造体において、前記頂部は、連結糸によって連結された少なくとも２列の鎖編み列から構成されるとともに、前記２つの側壁部は、それぞれ鎖編み列から構成され、前記側壁部の鎖編み列は、頂部側に形成されたループが前記頂部の鎖編み列中に挿入された状態で係止されているのが好ましい。
【００２４】
また、この繊維構造体では、前記各凸条部における頂部の一部と、この凸条部に隣接する他の凸条部における頂部の一部との間に前記連結糸が架け渡されて、メッシュ部が形成されていても良い。このようにすれば、凸条部同士が相互に隣接する他の凸条部とメッシュ部によって連結された状態となるため、凸条部の形態安定性をより高めることができる。更に、メッシュ部が形成されていることにより、当該メッシュ部の開口部分を通して凸条部が視認されるようになるため、メッシュ部がない場合と比較して、複雑な模様を表現することができる。
【００２５】
更に、この繊維構造体は、前記各凸条部における頂部の一部と、この凸条部に隣接する他の凸条部における頂部の一部との間を連結するように編成された、少なくとも１つの切れ目（開口部）を有する編み領域が形成されていても良い。この場合においても、上記と同様に、編み領域によって凸条部同士が連結された状態となり、当該凸条部の形態安定性が高まり、このため、安定した色彩効果が発揮される。また、切れ目を通して凸条部が視認されるようになるため、編み領域が形成されていない場合に比べ、表面に現れる模様を複雑なものにすることができる。
【００２６】
また、前記基部における、前記各凸条部とこの凸条部に隣接する他の凸条部との間に、少なくとも１列の編み列が形成されていても良い。この場合、各凸条部がこれに隣接する凸条部から分離され、各凸条部間の間隔が広くなるため、側壁部を視認することができる観察者の位置の範囲が変わり、各凸条部間の間隔が狭い場合とは異なる色彩効果を発揮させることができる。尚、各凸条部間の間隔を広くし過ぎると、観察者が側壁部を視認することができる位置の範囲が狭くなり過ぎて、色彩効果が十分に発揮されなくなる、或いは、基部の視認される部分が多くなり過ぎて、美観が損なわれる虞がある。したがって、各凸条部間の間隔が、１．５ｍｍ〜４ｍｍ程度（編針３本〜５本分程度）となるように、形成する編み列の数を調整することが好ましい。
【００２７】
尚、前記基部は、メッシュ状に形成しても良いし、編糸として透明糸を用いるようにしても良い。前記基部をメッシュ状に形成することによって、繊維構造体の軽量化を図ることができ、衣服等に使用した際の通気性も確保することができる。また、基部の編糸として透明糸を用いることによって、基部を目立たなくして凸条部の色彩を際立たせ、凸条部を構成する２つの側壁部に異なる色を配置することによって奏される色彩効果を高めることができる。
【発明の効果】
【００２８】
以上のように、本発明に係る繊維構造体は、凸条部を構成する２つの側壁部の内、一方の側壁部を構成する糸Ａと、他方の側壁部を構成する糸Ｂとが異なる組成を有しているので、糸Ａと糸Ｂとを後染めによって染め分けることができ、このように染め分けることで、凸条部を構成する２つの側壁部を異なる色で表現することができる。これにより、観察者の見る方向によって、視認される色模様が変化するという色彩効果が発揮される。
【００２９】
そして、この色模様の変化は、見る角度を繊維構造体に近い角度から徐々に上方側に移すことで、頂部の色の中から次第に異なる色（側壁部の色）が浮き上がるような、独特な視覚効果を伴ったものとして発現されるため、これを衣服等に使用した場合には、当該衣服等に非常に優れた美観や躍動感を与えることができる。
【００３０】
また、この繊維構造体は、染色による染め分けが可能であることから、原着糸や先染め糸を使用した場合には得られない自由な選色，配色が可能で、このように様々な配色を選択することによって、そのカラーバリエーションを増やすことができ、また、複雑な模様も容易に付与することができるとともに、得られる色彩効果に多様性を持たせることができるという、極めて高い実用性を備えている。
【図面の簡単な説明】
【００３１】
【図１】第１実施形態に係る経編地の組織の詳細を示した図である。
【図２】図１における矢視ａ−ａ断面図である。
【図３】第１実施形態に係る経編地の色彩効果を説明するための図である。
【図４】本実施形態において使用可能な繊維と染色性との関係を示す表である。
【図５】第２実施形態に係る経編地の組織の詳細を示した図である。
【図６】図５における矢視ｂ−ｂ断面図である。
【図７】第２実施形態に係る経編地の色彩効果を説明するための図である。
【図８】第３実施形態に係る経編地の組織の詳細を示した図である。
【図９】第４実施形態に係る経編地の組織の詳細を示した図である。
【図１０】第５実施形態に係る経編地の組織の詳細を示した図である。
【図１１】第５実施形態に係る経編地の一変形例を示した図である。
【図１２】第６実施形態に係る織地の幅方向の断面図である。
【図１３】第６実施形態に係る織地を加熱処理した後の幅方向の断面図である。
【発明を実施するための形態】
【００３２】
以下、本発明の具体的な実施の形態について、図面を参照して説明する。
【００３３】
［第１実施形態］
図１は、第１実施形態に係る繊維構造体である経編地１の組織の詳細を示した図であり、図２は、図１における矢視ａ−ａ断面図である。同図１及び図２に示すように、当該経編地１は、基部２と、この基部２上に相互に略平行に形成された複数の凸条部６とから構成される。また、凸条部６は、編み立て方向に沿って形成された頂部３及び当該頂部３の下方に位置する２つの側壁部４，５からなり、一方の各側壁部４は互いに略平行に設けられ、他方の各側壁部５も互いに略平行に設けられている。
【００３４】
前記頂部３は連結糸３ｃによって連結された２本の鎖編み列３ａ，３ｂからなり、側壁部４，５は、後述するループ４ａ１，５ａ１が前記２本の鎖編み列３ａ，３ｂにそれぞれ係止された鎖編み列４ａ，５ａからなる。また、前記基部２は、前記側壁部４，５の鎖編み列４ａ，５ａが結接された鎖編み列２ａ，２ｂと、これら鎖編み列２ａ，２ｂ同士を連結する連結糸２ｃからなり、各凸条部６間に形成された連結部２ｄとから構成されている。尚、図１において、頂部３を構成する鎖編み列３ａ，３ｂ及び側壁部４，５を構成する鎖編み列４ａ，５ａは実線、頂部３の連結糸３ｃは破線、基部２の連結糸２ｃは点線で示し、基部２の鎖編み列２ａ，２ｂは図示を省略した。
【００３５】
また、本例の経編地１では、側壁部４を構成する鎖編み列４ａに糸Ａを用い、側壁部５の鎖編み列５ａに糸Ｂを用いるとともに、頂部３を構成する２本の鎖編み列３ａ，３ｂ及び連結糸３ｃにはそれぞれ糸Ｃ１、Ｃ２、Ｃ３を用い、更に、前記基部２を構成する鎖編み列２ａには鎖編み列４ａと同じ糸Ａ、鎖編み列２ｂには鎖編み列５ａと同じ糸Ｂ、前記連結糸２ｃには糸Ｄ１をそれぞれ用いている。
【００３６】
そして、この経編地１は、複数の編針を有し、対向して配置された２列の針床及び当該針床に所定の糸を供給する供給機構を備えた公知のダブルラッシェル編み機を用いて編成することができる。
【００３７】
具体的には、一方側の針床（表側の針床）において、供給機構によって供給される糸Ｃ１、Ｃ２により２つの鎖編み列３ａ，３ｂを編成しつつ、ウェール方向に隣接するこれら２つの鎖編み列３ａ，３ｂを糸Ｃ３からなる連結糸３ｃにより連結して頂部３を形成する。
【００３８】
一方、他方側の針床（裏側の針床）において、供給機構によって供給される糸Ａ及び糸Ｂにより、側壁部４，５を構成する２つの鎖編み列４ａ，５ａをそれぞれ編成するとともに、供給機構によって供給される糸Ａ，Ｂにより、基部２を構成する鎖編み列２ａ，２ｂを編成しつつ、各鎖編み列２ａ，２ｂと、これらの近傍にある他の鎖編み列２ａ，２ｂとをウェール方向に沿って糸Ｄ１からなる複数の連結糸２ｃにより連結する。
【００３９】
ここで、本例の編地は、側壁部４，５の鎖編み列４ａ，５ａを編成する際に、頂部３の鎖編み列と対向する側（表側の針床と対向する側）にループ４ａ１，５ａ１を形成し、頂部３の鎖編み列３ａ，３ｂの編目に当該ループ４ａ１，５ａ１を挿入するようにして、側壁部４，５の鎖編み列４ａ，５ａを頂部３の鎖編み列３ａ，３ｂに係止する一方、側壁部４，５の鎖編み列４ａ，５ａを、基部２の鎖編み列２ａ，２ｂに編み込むようにして、基部２の鎖編み列２ａ，２ｂと側壁部４，５の鎖編み列４ａ，５ａとをそれぞれ結接するようにしている。
【００４０】
斯くして、基部２と頂部３とが側壁部４，５によって連結され、頂部３及び側壁部４，５からなる凸条部６が基部２上に形成された一枚の立体的な経編地１が編成される。
【００４１】
このように編成された経編地１は、編成段階で基部２と凸条部６とを形成するようにしているため、凸条部６の形状にバラツキが生じ難く、各凸条部６の形状がほぼ均一なものとなる。また、凸条部６は、それぞれ鎖編み列で構成された頂部３と側壁部４，５とからなり、側壁部４，５を構成する鎖編み列４ａ，５ａは、頂部３の鎖編み列３ａ，３ｂに係止されるとともに、基部２の鎖編み列２ａ，２ｂに編み込まれているため、各凸条部６の形態安定性が従来よりも高いものとなっている。
【００４２】
尚、前記基部２から頂部３までの高さｈは、前記ダブルラッシェル編み機における対向して配置された２列の針床間の距離や編糸の伸縮度合いに依存するものであるが、高さｈを高くするほど凸条部６の形状は崩れ易くなるため、当該高さｈが１ｍｍ〜４ｍｍ程度となるように、針床間の距離を変える、或いは、編成時のテンション等を調整することが好ましい。
【００４３】
本例の前記糸Ａ、糸Ｂ、糸Ｃ１、Ｃ２、Ｃ３及び糸Ｄ１に適用される繊維は、何ら制限を受けるものではないが、その一例を挙げれば、各種の植物性及び動物性の天然繊維（例えば、綿、絹、羊毛など）や、各種の化学繊維（例えば、レーヨン、アセテート、ナイロン、ビニロン、アクリル、ポリエステル、カチオン可染ポリエステルなど）を適用することができ、糸としての形態についても、適用される繊維に応じて紡績糸やフィラメント糸を適用することができるが、これに限定されるものではない。
【００４４】
尚、天然繊維である綿、絹及び羊毛については、詳しく説明するまでもないが、化学繊維について若干の説明を加えると、上記レーヨンは、セルロース系再生繊維のうち、天然の木材パルプを原料とするビスコース繊維であり、広義には、キュプラやリヨセルを含めたセルロース系再生繊維の全てが含まれる。また、アセテートは、ジアセテートとトリアセテートを含み、セルロースの水酸基を酢酸化して得られる酢酸セルロースからなる人造繊維であり、一般的には、酢化度４５．０％以上の酢酸セルロースからなる繊維をいうが、ＪＩＳでは、セルロースの水酸基のうち７４％以上９２％未満が酢酸化されているものをアセテート繊維と定義している。
【００４５】
また、前記ナイロンは、アミド結合−ＣＯＮＨ−を主鎖にもつ脂肪族合成ポリアミドの一般名であり、前記ビニロンは、ポリビニルアルコール（ＰＶＡ）を主成分とする合成繊維の一般名であり、また、前記アクリルは、アクリロニトリルを主成分とする合成繊維をいう。
【００４６】
また、前記ポリエステルは、一般的に、多価アルコールと多価カルボン酸の重縮合によって得られる、主鎖にエステル結合−ＣＯ−Ｏ−をもつ高分子化合物をいう。また、カチオン可染ポリエステル系繊維は、スルホン酸基、燐酸基などのアニオン性基を有するポリエステル系繊維をいい、例えば、極性基を有するジカルボン酸やグリコール類を共重合しているポリエステル繊維が例示され、特にポリエチレンテレフタレート、ボリブチレンテレフタレートまたはポリプロピレンテレフタレートなどにテレフタル酸以外の酸成分として５−ナトリウムスルホイソフタル酸を全酸分の１〜１０モル％共重合させたものが好ましく例示される。
【００４７】
また、本例では、前記糸Ａ、糸Ｂ、糸Ｃ１、Ｃ２、Ｃ３及び糸Ｄ１の内、少なくとも糸Ａ及び糸Ｂはその組成が互いに異なったものとなっている。この他の糸Ｃ１、Ｃ２、Ｃ３及び糸Ｄ１は、糸Ａ又は糸Ｂと同じ組成であっても、異なる組成であっても良い。
【００４８】
ここで、糸Ａ及び糸Ｂについて組成が異なる態様としては、以下の態様を例示することができる。
ａ）糸Ａ及び糸Ｂの一方が、単一の繊維から構成される糸、複数の繊維を混合した混合繊維から構成される糸、又は長手方向に異なる繊維を所定間隔で繋ぎ合わせた糸のいずれかの糸で、他方がこれとは異なる糸である態様、
ｂ）糸Ａ及び糸Ｂがそれぞれ単一の繊維から構成され、その繊維の種類が異なる態様、
ｃ）糸Ａ及び糸Ｂがそれぞれ混合繊維から構成され、糸Ａと糸Ｂとでは混合される繊維の種類が同一ではない態様、
ｄ）糸Ａ及び糸Ｂがそれぞれ同一の複数繊維を混合した混合繊維から構成され、糸Ａと糸Ｂとで混合される繊維の混合比率が異なる態様、
ｅ）糸Ａ及び糸Ｂがそれぞれ長手方向に異なる繊維を所定間隔で繋ぎ合わせた糸からなり、糸Ａと糸Ｂとでは用いられる繊維の種類が同一ではない態様、
ｆ）糸Ａ及び糸Ｂがそれぞれ長手方向に異なる繊維を所定間隔で繋ぎ合わせた糸からなり、糸Ａと糸Ｂとで用いられる繊維の種類は同一であるが、その繋ぎ合わせる間隔が異なる態様など。
但し、これに限られるものではない。
尚、糸Ｃ１、Ｃ２、Ｃ３及び糸Ｄ１が、糸Ａ又は糸Ｂと異なる組成である態様も、上記の例に倣うものとする。
【００４９】
そして、本例の経編地１は後染めによって染色される。染色に用いられる染料は、前記糸Ａ、糸Ｂ、糸Ｃ１、Ｃ２、Ｃ３及び糸Ｄ１に用いられる繊維に応じた染料が適用される。繊維と染料との関係を図４に示す。同図４に示すように、各繊維は、染料に応じた染色性を示し、一例を挙げ得れば、綿は、直接染料、建染染料、硫化染料、反応染料及びナフトール染料によってよく染まるが、酸性染料、分散染料及びカチオン染料では染まらない。逆に、アクリルは、酸性染料及びカチオン染料によってよく染まるが、直接染料、硫化染料、反応染料及びナフトール染料では染まらない。したがって、糸Ａ、糸Ｂ、糸Ｃ１、Ｃ２、Ｃ３及び糸Ｄ１に用いられる繊維を適宜選定し、選定した繊維に応じた染料を用いてそれぞれ糸Ａ、糸Ｂ、糸Ｃ１、Ｃ２、Ｃ３及び糸Ｄ１を染色することで、糸Ａ、糸Ｂ、糸Ｃ１、Ｃ２、Ｃ３及び糸Ｄ１をそれぞれ任意の色に染め分けることができ、また、任意の色模様を付与することができる。例えば、糸Ａに無色のカチオン可染ポリエステルを用い、糸Ｂに無色の６ナイロンを用い、糸Ｃ１、Ｃ２、Ｃ３及び糸Ｄ１に黒色のポリエチレンテレフタレートを用いて編成した経編地１を、緑色を発色する酸性染料、及び赤色を発色するカチオン染料を用いて、同浴で浸漬染色すると、図４から分かるように、カチオン染料によって糸Ａのみが赤色に染色されるとともに、酸性染料によって糸Ｂのみが緑色に染色され、糸Ｃ１、Ｃ２、Ｃ３及び糸Ｄ１については黒色のままとなる。尚、当然のことながら、プリントにより、カチオン染料を用いて糸Ａを、酸性染料を用いて糸Ｂを、それぞれ染め分けるようにしても良い。
【００５０】
尚、前記直接染料は、溶液中で解離して染料イオンが陰イオン（アニオン）性になる染料のなかで、比較的分子量が大きく、綿やセルロース系繊維に対して親和性のある染料をいう。また、酸性染料は、溶液中で解離して染料イオンが陰イオン（アニオン）性になる染料のなかで、分子量が比較的小さく、セルロース系繊維に対しては親和性が少ないが、羊毛、ナイロンなどのポリアミド系繊維に親和性があり、酸性浴で染色する染料をいう。
【００５１】
前記分散染料は、染料分子中に、スルホン酸基やカルボン酸基などの水溶性基をもたない非イオン性の染料で、水中に分散した系からアセテートやポリエステル繊維などの疎水性合成繊維の染色に用いられる染料であり、前記カチオン染料は、溶液中で解離して染料イオンが陽イオン（カチオン）性になる染料であり、アクリル繊維、カチオン可染ポリエステル繊維等の染色に用いられる染料である。
【００５２】
また、前記建染染料はバット染料ともいい、染料自身は水に不溶性で、繊維に対して親和性をもたないが、染色時にアルカリ性還元浴で還元して得られる水溶性ロイコ化合物が、繊維に親和性をもつ性質を利用して繊維に吸着させ、酸化により繊維上で元の水不溶性染料に戻して染色を完了する染料である。また、前記硫化染料は、染料分子内に硫黄原子を含む水不溶性染料で、染色時に還元剤（硫化ナトリウム）によって還元され、ロイコ染料の形で繊維に吸着させた後、酸化により水不溶性染料に戻して染色を完了する染料である。
【００５３】
前記反応染料は、染料分子中に、繊維中の官能基（水酸基、アミノ基など）と化学結合を形成可能な反応性基をもつアニオン性水溶性染料で、染色工程で繊維中の官能基と化学反応して共有結合により染着する染料である。また、前記ナフトール染料は、繊維上で不溶性のアゾ染料を形成して染色を完了する染料であり、アゾイック染料、或いは氷染染料とも称される。
【００５４】
そして、本例では、前記糸Ａ、糸Ｂ、糸Ｃ１、Ｃ２、Ｃ３及び糸Ｄ１について、これに用いられる繊維の種類を含めた前記組成を適宜設定するとともに、この組成に応じた染料を用いて、浸漬染色やプリント（スクリーン捺染やインクジェット捺染など）などによって、各糸をそれぞれ染色することにより、前記基部２、頂部３及び側壁部４，５を任意の色に染め分け、或いは、それぞれに任意の色模様を付与する。
【００５５】
例えば、基部２、頂部３及び側壁部４，５をそれぞれ異なる色に染め分けることができ、また、一部を同色、他を異なる色にすることができる。また、基部２、頂部３及び側壁部４，５にそれぞれ異なる２色以上の色模様を付与することができ、一部を同じ色模様、他を異なる色模様にすることができる。尚、プリントは経編地１の裏面（即ち、凸条部６とは反対側の面）側から行うのが好ましい。このようにすれば、頂部３への染料付着を抑制し、側壁部４，５を構成する糸Ａ，Ｂを選択的にターゲットとした染色を行うことが可能であるため、頂部３を構成する糸については汚染を考慮する必要が無く、用途に応じて自由な糸種を選定することができる。
【００５６】
次に、この染色された経編地１が奏する色彩効果について、図３を参照しつつ、以下説明する。
【００５７】
この経編地１は、編み立て方向と交差する方向から当該経編地１を見るときの観察者の位置に応じて、視認される色彩が変化する。具体的に言うと、観察者が図３の紙面に向かって左手側の領域Ｒ１内から経編地１を見た場合には、頂部３及び側壁部４が視認される一方、側壁部５は死角に位置するため、当該側壁部５は視認されない。したがって、観察者には、頂部３及び側壁部４に付されたそれぞれの色、或いは色模様が視認される。
【００５８】
逆に、観察者が図３の紙面に向かって右手側の領域Ｒ２内から経編地１を見た場合、頂部３及び側壁部５が視認され、一方、側壁部４は死角に位置するため、当該側壁部４は視認されない。したがって、観察者には、頂部３及び側壁部５に付されたそれぞれの色、或いは色模様が視認される。尚、本例において、領域Ｒ１及び領域Ｒ２の角度は、およそ４０°〜６０°である。
【００５９】
図３中の領域Ｒ３及び領域Ｒ４は、それぞれ領域Ｒ１及び領域Ｒ２に付随する領域であり、これら領域Ｒ３及び領域Ｒ４は、例えば、観察者の位置が領域Ｒ１内から領域Ｒ２内へと変わる、即ち、観察者が頂部３及び側壁部４を視認している状態から、頂部３及び側壁部５を視認する状態へと移り変わる間を補完して、美妙な色彩効果を奏するのに有効な働きをする領域である。尚、この経編地１を上面から見ると、頂部３及び基部２が視認される。
【００６０】
このように、本例の経編地１は、観察者が当該経編地１を見る際の位置に応じて、言い換えれば、観察者の見る方向及び角度に応じて、観察者が視認する部位が変化する。したがって、前記基部２、頂部３及び側壁部４，５を任意の色に染め分け、或いは、それぞれに任意の色模様を付与することで、視認される色や色模様が変化するという色彩効果を発現させることができる。そして、この色模様の変化は、見る角度を繊維構造体に近い角度から徐々に上方側に移すことで、頂部３の色の中から次第に異なる色（側壁部４，５の色）が浮き上がるような、独特な視覚効果を伴ったものとして発現される。
【００６１】
斯くして、このような経編地１を衣服や鞄、靴などに使用すると、着用者の動きに応じて、経編地１の表面に対する観察者の相対的な位置が変化して、上記色彩効果が発揮されるため、当該衣服等に非常に優れた美観や躍動感を持たせることができる。
【００６２】
また、この経編地１は、染色による染め分けが可能であることから、原着糸や先染め糸を使用した場合には得られない自由な選色，配色が可能で、このように様々な配色を選択することによって、そのカラーバリエーションを増やすことができ、また、複雑な模様も容易に付与することができるとともに、得られる色彩効果に多様性を持たせることができるという、極めて高い実用性を備えている。
【００６３】
尚、基部２、頂部３及び側壁部４，５については、それぞれの色及び／又は色模様が異なった態様が最も多様な色彩効果を発揮するが、好ましい色彩効果を得るには、少なくとも、側壁部４，５の色及び／又は色模様が互いに異なった態様が好ましい。したがって、基部２及び頂部３については、無色（即ち、透明）であっても良い。特に、基部２を透明にし、頂部３及び側壁部４，５を有色にすると、当該基部２を目立たなくすることができ、逆に、頂部３及び側壁部４，５についてはこれを際立たせることができるため、当該頂部３及び側壁部４，５によって奏される色彩効果を高めることができる。
【００６４】
また、この経編地１は、その凸条部６が外力に対して容易には変形しない高い形態安定性を備えているため、染色工程において外力が作用しても、凸条部の形状を維持することができ、また、その形状のバラツキも非常に少ないため、目的とする色彩効果を十分に発揮することができる。また、当該経編地１は、その使用態様によって上述した色彩効果が影響を受けるということはなく、例えば、これを衣服に用いるなど、様々な使用態様においても、十分な前記色彩効果が発現される。
【００６５】
［第２実施形態］
次に、図５及び図６を参照しつつ、本発明の第２実施形態に係る経編地１１について説明する。尚、図５においては、基部２の鎖編み列２ａ，２ｂの図示を省略し、図６においては、図５では図示していない凸条部も図示し、計３つの凸条部を図示するようにした。また、以下の説明において、経編地１と同一の構成については、同一の符号を付し、その詳細な説明は省略する。
【００６６】
図５及び図６に示すように、当該経編地１１は、前記基部２の連結部２ｄに当該基部２を構成する鎖編み列２ｅが連結糸２ｃとは別の編糸によって編成され、当該鎖編み列２ｅを含む鎖編み列２ａ，２ｂ，２ｅと、これらの近傍に位置する他の鎖編み列２ａ，２ｂ，２ｅとがウェール方向において複数の連結糸２ｃにより連結され編成されている。
【００６７】
尚、この鎖編み列２ｅには糸Ｄ２が用いられる。この糸Ｄ２についても、基部２を構成する他の糸Ｄ１と同様に、上述した繊維を用いることができ、糸の形態としては、繊維に応じて紡績糸やフィラメント糸の形態をとることができる。また、染色についても、糸Ｄ１と同様の態様をとることができる。糸Ｄ２を糸Ｄ１と同様に透明にすれば、頂部３及び側壁部４，５を際立たせることができるため、当該頂部３及び側壁部４，５によって奏される色彩効果を高めることができる。
【００６８】
この経編地１１においては、基部２の連結部２ｄに鎖編み列２ｅが更に編成されていることにより、経編地１と比較して各凸条部６間の間隔が広がっている。そのため、図７に示すように、頂部３及び側壁部４が視認される領域Ｒ１’並びに頂部３及び側壁部５が視認される領域Ｒ２’は、経編地１における領域Ｒ１及び領域Ｒ２よりも狭くなる一方、領域Ｒ３’及び領域Ｒ４’は、領域Ｒ３及び領域Ｒ４よりも広くなっている。
【００６９】
このように、当該経編地１１は、領域Ｒ３’及び領域Ｒ４’が広がっていることにより、より一層鮮明な色彩変化を発揮する。
【００７０】
尚、連結部２ｄに編成する鎖編み列２ｅの数は、必ずしも１列に限られず、２列以上であっても良いが、凸条部６間の間隔が空きすぎると、領域Ｒ１’及び領域Ｒ２’が狭くなり過ぎて色彩効果が十分に発揮されなくなる、或いは、基部２の露出が多くなり過ぎて美感が損なわれる虞がある。したがって、凸条部６の高さｈも考慮して、領域Ｒ１’及び領域Ｒ２’の範囲が適切な値（好ましくはおよそ２０°以上）となり、領域Ｒ３’及び領域Ｒ４’の範囲が適切な値（好ましくは４０°以上）となり、各凸条部６間の間隔ｌが１．５ｍｍ〜４ｍｍ程度（編針３本〜５本分程度）となるように、鎖編み列２ｅの数を決めることが好ましい。
【００７１】
［第３実施形態］
次に、図８を参照しつつ、本発明の第３実施形態に係る経編地２１について、以下説明する。尚、上記と同様に、経編地１と同一の構成については、同一の符号を付し、その詳細な説明は省略する。また、図８においても、基部２の鎖編み列２ａ，２ｂの図示を省略した。
【００７２】
図８に示すように、第３実施形態に係る経編地２１は、第２実施形態の経編地１１と同様に、前記基部２の連結部２ｄに鎖編み列２ｅを編成するとともに、当該鎖編み列２ｅを含む鎖編み列２ａ，２ｂ，２ｅの一部と、これらの近傍に位置する他の鎖編み列２ａ，２ｂ，２ｅの一部とが、基部２の連結部２ｄが所謂メッシュ状となるように、ウェール方向において複数の連結糸２ｃにより連結され編成されている。尚、鎖編み列２ｅは、図８において実線で示した。
【００７３】
尚、経編地１１と同様に、この鎖編み列２ｅには糸Ｄ２が用いられ、この糸Ｄ２についても、基部２を構成する他の糸Ｄ１と同様に、上述した繊維を用いることができ、糸の形態としては、繊維に応じて紡績糸やフィラメント糸の形態をとることができる。また、染色についても、糸Ｄ１と同様の態様をとることができる。糸Ｄ２を糸Ｄ１と同様に透明にすれば、頂部３及び側壁部４，５を際立たせることができるため、当該頂部３及び側壁部４，５によって奏される色彩効果を高めることができる。
【００７４】
この経編地２１は、経編地１と同様に、当該経編地２１を見る際の観察者の位置に応じて色彩が変化する色彩効果を奏し、また、基部２の連結部２ｄをメッシュ状にすることで、経編地２１自体の軽量化を図ることができ、衣服等に使用した際の通気性を確保することもできる。
【００７５】
［第４実施形態］
ついで、第４実施形態に係る経編地３１について、図９を参照しつつ、以下説明する。尚、以下の説明においても上記と同様に、経編地１と同一の構成については、同一の符号を付し、その詳細な説明は省略する。
【００７６】
図９に示すように、この経編地３１は、上記経編地１，１１，２１と異なり、基部２の連結部２ｄにループからなる編み列２ｆを連結糸２ｃによって形成しつつ、連結糸２ｃを側壁部４，５の各鎖編み列４ａ，５ａに結接し、基部２の連結部２ｄがメッシュ状となるように編成されている。
【００７７】
この経編地３１についても、前記経編地２１と同様に、観察者が当該経編地３１を見る際の位置に応じて色彩が変化する色彩効果を発揮し、また、連結部２ｄをメッシュ状としたことによって、編地自体の軽量化が図れ、衣服等に使用した場合の通気性も確保することができる。
【００７８】
［第５実施形態］
次に、第５実施形態に係る経編地４１について、図１０を参照しつつ、以下説明する。尚、上記と同様に、経編地１と同一の構成については、同一の符号を付し、その詳細な説明を省略する。また、図１０においては、基部２全体の図示を省略した。
【００７９】
この経編地４１は、図１０に示すように、各凸条部６の頂部３の一部と、これと隣接する他の凸条部６の頂部３の一部との間を、複数の連結糸７によって連結し、頂部３とほぼ同じ高さの平面内にメッシュ状の組織を形成するように編成されている。図１０において、連結糸７は点線で示されている。尚、この連結糸７には、糸Ｃ４が用いられる。この糸Ｃ４についても、頂部３を構成する他の糸Ｃ１，Ｃ２，Ｃ３と同様に、上述した繊維を用いることができ、糸の形態としては、繊維に応じて紡績糸やフィラメント糸の形態をとることができる。また、染色についても、糸Ｃ１，Ｃ２，Ｃ３と同様の態様をとることができる。
【００８０】
この経編地４１においては、頂部３とほぼ同じ高さの平面内にメッシュ状の組織が形成されていることにより、観察者によって、メッシュの開口部分を通して凸条部６が視認されるようになるため、メッシュ状の組織がない場合と比較して、複雑な模様を表現することができる。また、凸条部６が他の凸条部６と連結された状態となっているため、凸条部６の形状安定性をより高めることができる。
【００８１】
尚、この経編地４１において、頂部３同士を連結する複数の連結糸７によって、幅広の編み領域を編成し、頂部３とほぼ同じ高さの平面内に、切れ目（小さな開口部）を有する編み組織を形成するようにしても良い。図１１に、このようにして編成した経編地５１を表面から見た図を示した。図１１中、符号５２が幅広の編み領域であり、符号５３が切れ目である。
【００８２】
同図１１に示すように、この経編地５１においては、複数の連結糸７によって編成された幅広の編み領域５２が観察者に視認されるとともに、凸条部６の頂部３及び側壁部４，５が前記切れ目５３を通して視認されるため、当該経編地５１は、その美観が、幅広の編み領域５２が編成されていないものとは異なったものとなり、複雑な模様が表面に現れたものとなる。また、経編地５１は、連結糸７（糸Ｃ４）、頂部３の鎖編み列３ａ，３ｂの糸Ｃ１，Ｃ２及び各側壁部４，５の鎖編み列４ａ，５ａの糸Ａ，糸Ｂの色及び又は色模様を適宜調整することで、その外観が変化する。したがって、当該経編地５１を衣服や靴に使用することで、これらの外観に容易に多様性を持たせることができる。
【００８３】
［第６実施形態］
次に、第６実施形態について説明する。第６実施形態は本発明に係る繊維構造体を織物として具現化したものである。以下、本例の織地を図１２及び図１３に基づいて説明する。
【００８４】
本例の織地１００は、上地１０１及び下地１０２から構成され、上地１０１は経糸１１１及び緯糸１１２からなり、下地１０２は経糸１２１及び緯糸１２２からなる。そして、この織地１００は、上地１０１と下地１０２とが分離した二重袋組織部と、上地１０１と下地１０２とが一体化された一重組織部とが交互に配置された構造を有する。ここで、「一重組織部」とは、単独生地、又は生地の接合により生地が一枚になった状態をいい、「二重組織袋部」とは、上地１０１と下地１０２とが接合されておらず、互いに独立して生地間に袋状の隙間が形成された状態をいう。
【００８５】
織地１００の両端部は一重組織部であり、上地１０１の経糸１１１と緯糸１１２とで構成され、両端部の内側に位置する一重組織部は、上地１０１と下地１０２とを構成するそれぞれの経糸１１１／経糸１２１と、緯糸１１２／緯１２２とを互いに交錯させており、その際、上地１０１又は下地１０２の一部の経糸、若しくは緯糸を連結糸として用いて部分的に連結させている。
【００８６】
また、上地１０１の経糸１１１，緯糸１１２、及び下地１０２の経糸１２１には、上述した天然繊維及び化学繊維の内、非熱収縮性の繊維が適宜選択的に用いられ、一方、下地１０２の緯糸１２２には熱収縮性繊維が用いられ、糸の形態は、適用される繊維に応じた形態が採用される。尚、熱収縮性繊維としては、ポリエステル繊維，アクリル系繊維や塩化ビニル系繊維などの熱可塑性樹脂製繊維が例示され、１２０〜１３０度の低温度熱処理によって収縮し、その熱水収縮率は２０〜６０％であること好ましい。熱水収縮率はＪＩＳ  Ｌ１０１３  かせ収縮率（Ａ法、処理温度９８±２℃）に準じて測定された値である。緯糸１２２の熱水収縮率が２０％以下では、凸条部１１３が十分に隆起せず、また、熱水収縮率が６０％以上であると凸条部１１３を隆起させるに好ましいが、収縮しすぎとなる。
【００８７】
上記構成の織地１００を加熱処理することによって、下地１０２の緯糸１２２が熱収縮し、二重袋組織部及び一重組織部が幅方向に収縮して、二重袋組織部の上地１０１が隆起し、織地１００の長さ方向に沿った複数の凸条部１１３が幅方向に互いに平行となるように形成される。尚、凸条部１１３の高さ及び幅方向の間隔は、適度な色彩効果が発現される寸法に設定される。
【００８８】
この凸条部１１３は、図１３に示すように、頂部１０６及びこの頂部１０６の下方に位置する２つの側壁部１０７，１０８から構成され、一方の各側壁部１０７は互いに略平行に設けられ、且つ他方の各側壁部１０８も互いに略平行に設けられる。尚、下地１０２、並びに凸条部１１３，１１３間の上地１０１は基部１０５を構成する。そして、側壁部１０７を構成する経糸１１１に、上述した第１の実施形態における糸Ａを用い、側壁部１０８を構成する経糸１１１に糸Ｂを用いている。但し、頂部１０６及び基部１０５を構成する経糸１１１及び緯糸１１２、並びに下地１０２の経糸１２１は、非熱収縮性の糸であれば、糸Ａ又は糸Ｂと同じ組成であっても、異なる組成であっても良い。
【００８９】
尚、凸条部１１３は、その形状が長く維持されるように、経方向糸１１１及び緯方向糸１１２の拘束力の高い平組織で、できるだけ経方向糸１１１及び緯方向糸１１２を細繊度で高密度に製織して、硬い織物にすることが好ましい。
【００９０】
本例の織地１００は、経糸に上地１０１用と下地１０２用を準備した後、二重袋組織部、一重組織部を形成するよう経糸開口させて緯挿入を繰り返すことによって製織される。その際、両端部は、上地１０１用または下地１０２用の経糸のどちらかを用い、一重組織部においては一部の上地１０１用の経糸と下地１０２用の経糸を入れ替えて開口させるようにして一重組織部として一体化させる。但し、製織方法や使用する織機は、特に限定されるものではなく、適宜選定すればよい。
【００９１】
次に、製織された織地１００を加熱処理し、下地１０２の緯糸１２２（熱収縮性繊維糸）を収縮させて、二重織袋組織部の上地１０１を隆起させ、凸条部１１３を形成する。
【００９２】
ついで、第１の実施形態と同様にして、織地１００を構成する糸（経糸１１１，１２１及び緯糸１１２，１２２）の組成に応じた染料を用いて、浸漬染色やプリント（スクリーン捺染やインクジェット捺染など）などによって、各糸をそれぞれ染色することにより、少なくとも側壁部１０７，１０８を任意の色に染め分け、若しくは、それぞれに任意の色模様を付与する。
【００９３】
或いは、基部１０５、頂部１０６及び側壁部１０７，１０８をそれぞれ異なる色に染め分けても良いし、一部を同色、他を異なる色にしても良いし、それぞれ異なる２色以上の色模様を付与することもでき、一部を同じ色模様、他を異なる色模様にすることもできる。
【００９４】
本例の織地１００によれば、第１実施形態に係る経編地１と同様に、観察者の見る方向及び角度に応じて、視認される色や色模様が変化するという色彩効果が発揮される。そして、この色模様の変化は、見る角度を繊維構造体に近い角度から徐々に上方側に移すことで、頂部１０６の色の中から次第に異なる色（側壁部１０７，１０８の色）が浮き上がるような、独特な視覚効果を伴ったものとして発現される。
【００９５】
斯くして、このような織地１００を衣服や鞄、靴などに使用すると、着用者の動きに応じて、織地１００の表面に対する観察者の相対的な位置が変化して、上記色彩効果が発揮されるため、当該衣服等に非常に優れた美観や躍動感を持たせることができる。
【００９６】
また、この織地１００は、染色による染め分けが可能であることから、原着糸や先染め糸を使用した場合には得られない自由な選色，配色が可能で、このように様々な配色を選択することによって、そのカラーバリエーションを増やすことができ、また、複雑な模様も容易に付与することができるとともに、得られる色彩効果に多様性を持たせることができるという、極めて高い実用性を備えている。
【００９７】
尚、基部１０５、頂部１０６及び側壁部１０７，１０８については、それぞれの色及び／又は色模様が異なった態様が最も多様な色彩効果を発揮するが、好ましい色彩効果を得るには、少なくとも、側壁部１０７，１０８の色及び／又は色模様が互いに異なった態様が好ましい。したがって、基部１０５及び頂部１０６については、無色（即ち、透明）であっても良い。特に、基部１０５を透明にし、頂部１０６及び側壁部１０７，１０８を有色にすると、当該基部１０５を目立たなくすることができ、逆に、頂部１０６及び側壁部１０７，１０８についてはこれを際立たせることができるため、当該頂部１０６及び側壁部１０７，１０８によって奏される色彩効果を高めることができる。
【００９８】
以上、本発明の実施形態について説明したが、本発明が採り得る態様は何らこれらに限定されるものではない。
【００９９】
例えば、上例では、本発明に係る繊維構造体を経編地として具現化したが、これに限られるものではなく、緯編地であっても良い。但し、この場合も、基部と、この基部上に相互に略平行に形成された複数の凸条部とを有する必要があり、各凸条部は、それぞれ頂部及び該頂部の下方に位置する２つの側壁部から構成されるとともに、その一方の各側壁部は互いに略平行に設けられ、且つ他方の各側壁部も互いに略平行に設けられ、更に、一方の側壁部は糸Ａから構成されるとともに、前記他方の側壁部は、前記糸Ａとは組成の異なる糸Ｂから構成されていることが肝要である。
【０１００】
また、上記各実施形態においては、２本の鎖編み列３ａ，３ｂを連結糸３ｃによって連結して頂部３を編成するようにしているが、頂部３を構成する鎖編み列の数は、これに限られるものではなく、頂部３は、３列以上の鎖編み列を連結糸によって連結して編成しても良い。
【符号の説明】
【０１０１】
１，１１，２１，３１，４１，５１  経編地
２    基部
２ａ，２ｂ  鎖編み列
２ｃ  連結糸
２ｄ  連結部
２ｅ  鎖編み列
２ｆ  編み列
３    頂部
３ａ，３ｂ  鎖編み列
３ｃ  連結糸
４，５  側壁部
４ａ，５ａ  鎖編み列
４ａ１，５ａ１  ループ
６    凸条部
７    連結糸
１００  織地
１０１  上地
１０２  下地
１０５  基部
１０６  頂部
１０７  側壁部
１０８  側壁部
１１１  経糸
１１２  緯糸
１１３  凸条部
１２１  経糸
１２２  緯糸
【図１】
2018104841.tif 000003
【図２】
2018104841.tif 000004
【図３】
2018104841.tif 000005
【図４】
2018104841.tif 000006
【図５】
2018104841.tif 000007
【図６】
2018104841.tif 000008
【図７】
2018104841.tif 000009
【図８】
2018104841.tif 000010
【図９】
2018104841.tif 000011
【図１０】
2018104841.tif 000012
【図１１】
2018104841.tif 000013
【図１２】
2018104841.tif 000014
【図１３】
2018104841.tif 000015